(57)【要約】【課題】  流体の微少な流量調節を高精度に実施できること。【解決手段】  流体が流通口２８から流れ出る流通口突端２９に表面３７が圧接または離反して、流通口を閉動作または開動作する弁体２７において、上記表面３７には、少なくとも流通口突端２９に接触する箇所に同一形状の凸部５０が複数形成されたものである。【選択図】            図１１
2005155898.tif 000002
【特許請求の範囲】
【請求項１】
流体が流通口から流れ出る流通口突端に表面が圧接または離反して、上記流通口を閉動作または開動作する弁体において、
上記表面には、少なくとも上記流通口突端に接触する箇所に同一形状の凸部が複数形成されたことを特徴とする弁体。
【請求項２】
流体が流通口から流れ出る流通口突端に表面が圧接または離反して、上記流通口を閉動作または開動作する弁体において、
上記表面には、少なくとも上記流通口突端に接触する箇所に凸部が複数形成され、上記凸部は、表面において、少なくとも流通口突端に接触する箇所に規則正しく配置されたことを特徴とする弁体。
【請求項３】
上記凸部は、流通口突端の軸線を通る縦断面における片側に、２個以上接触する状態で形成されたことを特徴とする請求項１または２に記載の弁体。
【請求項４】
上記凸部が、縦横方向に独立した錐体、半球体、柱体等の突起として、または、一方向に同断面で連続した凸条として形成されていることを特徴とする請求項１乃至３のいずれかに記載の弁体。
【請求項５】
流体が流れる流通口が形成されると共に、この流通口から流体が流れ出る流通口突端が形成されたハウジングと、
このハウジング内に配設され、表面が上記流通口突端に圧接または離反することで上記流通口を閉動作または開動作して、当該流通口内を流れる流体の流量を調節する弁体と、
上記ハウジング内に配設され、上記弁体をその軸心に沿って駆動して閉動作または開動作させる駆動装置とを有する流量調節装置において、
上記弁体の上記表面には、少なくとも上記流通口突端に接触する箇所に同一形状の凸部が複数形成されたことを特徴とする流量調節装置。
【請求項６】
上記弁体の凸部は、表面において、少なくとも流通口突端に接触する箇所に規則正しく配置されたことを特徴とする請求項５に記載の流量調節装置。
【請求項７】
上記弁体の凸部は、流通口突端の軸線を通る縦断面における片側に、２個以上接触する状態で形成されたことを特徴とする請求項５または６に記載の流量調節装置。
【請求項８】
上記凸部が、縦横方向に独立した錐体、半球体、柱体等の突起として、または、一方向に同断面で連続した凸条として形成されていることを特徴とする請求項５乃至７のいずれかに記載の流量調節装置。
【請求項９】
人体の腕や手首などの部位に巻き付けられるカフ帯内に供給された空気を排出する
血圧計用排気装置として使用されることを特徴とする請求項５乃至８のいずれかに記載の流量調節装置。
【請求項１０】
請求項５乃至９のいずれかに記載の流量調節装置を用いたことを特徴とする血圧計。
【発明の詳細な説明】
【技術分野】
【０００１】
本発明は、弁体及びこの弁体を備えた流量調節装置に係り、特に、血圧計用排気装置に適用されて好適な流量調節装置、及びこの流量調節装置に具備される弁体、並びにこの流量調節装置を用いた血圧計に関する。
【背景技術】
【０００２】
血圧計には各種のものが提案されているが、カフ帯内の圧力を所定値まで増加させた後その圧力を徐々に減圧していき、この減圧過程において各人の血圧値を測定するものがある。このような血圧計では、カフ帯内の圧力を徐々に減圧するために血圧計用排気装置が使用されている。
【０００３】
この血圧計用排気装置は、特許文献１に記載のように、流通口を通してカフ帯やポンプに接続されるハウジングと、弁体（オリフィスパッキン）の表面を流通口の流通口突端に圧接または離反することによって、上記弁体により流通口を閉動作または開動作する駆動軸と、電磁力に基づいて駆動軸を駆動する駆動コイルを備えた駆動装置と、電磁力の方向と反対方向に駆動軸を付勢する付勢部材とを有して構成される。
【０００４】
上記血圧計用排気装置を用いて血圧測定をする場合、まず、駆動コイルにより電磁力を発生させて駆動軸を駆動し、この駆動軸の先端の弁体を流通口突端に圧接して流通口を閉動作させる。この状態で加圧ポンプによりカフ帯内へ空気を供給してカフ帯を加圧する。
【０００５】
次に、カフ帯の減圧過程に移行する。このときには、駆動コイルへの供給電流を徐々に減少させることによって、駆動コイルが発生する電磁力を弱めていく。すると、付勢部材の付勢力によって駆動軸が移動し、弁体が流通口突端から離反して弁体が徐々に開動作し、カフ帯内の空気が流通口を通りハウジング内から大気中へ微少量ずつ排気される。この微少量排気によるカフ帯内の減圧過程において各人の血圧が計測される。
【特許文献１】特許第３０２９０７３号公報
【発明の開示】
【発明が解決しようとする課題】
【０００６】
ところが、上記血圧計排気装置では、弁体と流通口突端とがともに平坦面に形成されていることから、駆動軸を介して電磁力または付勢力により弁体を流通口突端に圧接または離反したときに、流通口突端と弁体との隙間を流れる空気の流量変化が急激となる。このため、空気が流通口を通りハウジング内から大気中へ排出される際に、微少な流量調整が困難な場合がある。
【０００７】
本発明の目的は、上述の事情を考慮してなされたものであり、流体の微少な流量調節を高精度に実施できる弁体及びこの弁体を備えた流量調節装置並びに、この流量調節装置を用いた血圧計を提供することにある。
【課題を解決するための手段】
【０００８】
請求項１に記載の発明は、流体が流通口から流れ出る流通口突端に表面が圧接または離反して、上記流通口を閉動作または開動作する弁体において、上記表面には、少なくとも上記流通口突端に接触する箇所に同一形状の凸部が複数形成されたことを特徴とするものである。
【０００９】
請求項２に記載の発明は、流体が流通口から流れ出る流通口突端に表面が圧接または離反して、上記流通口を閉動作または開動作する弁体において、上記表面には、少なくとも上記流通口突端に接触する箇所に凸部が複数形成され、上記凸部は、表面において、少なくとも流通口突端に接触する箇所に規則正しく配置されたことを特徴とするものである。
【００１０】
請求項３に記載の発明は、請求項1または２に記載の発明において、上記凸部は、流通口突端の軸線を通る縦断面における片側に、２個以上接触する状態で形成されたことを特徴とするものである。
【００１１】
請求項４に記載の発明は、請求項1乃至３のいずれかに記載の発明において、上記凸部が、縦横方向に独立した錐体、半球体、柱体等の突起として、または、一方向に同断面で連続した凸条として形成されていることを特徴とするものである。
【００１２】
請求項５に記載の発明は、流体が流れる流通口が形成されると共に、この流通口から流体が流れ出る流通口突端が形成されたハウジングと、このハウジング内に配設され、表面が上記流通口突端に圧接または離反することで上記流通口を閉動作または開動作して、当該流通口内を流れる流体の流量を調節する弁体と、上記ハウジング内に配設され、上記弁体をその軸心に沿って駆動して閉動作または開動作させる駆動装置とを有する流量調節装置において、上記弁体の上記表面には、少なくとも上記流通口突端に接触する箇所に同一
形状の凸部が複数形成されたことを特徴とするものである。
【００１３】
請求項６に記載の発明は、請求項５に記載の発明において、上記弁体の凸部は、表面において、少なくとも流通口突端に接触する箇所に規則正しく配置されたことを特徴とする
ものである。
【００１４】
請求項７に記載の発明は、請求項５または６に記載の発明において、上記弁体の凸部は、流通口突端の軸線を通る縦断面における片側に、２個以上接触する状態で形成されたことを特徴とするものである。
【００１５】
請求項８に記載の発明は、請求項５乃至７のいずれかに記載の発明において、上記弁体の凸部が、縦横方向に独立した錐体、半球体、柱体等の突起として、または、一方向に同断面で連続した凸条として形成されていることを特徴とするものである。
【００１６】
請求項９に記載の発明は、請求項５乃至８のいずれかに記載の発明において、人体の腕や手首などの部位に巻き付けられるカフ帯内に供給された空気を排出する血圧計用排気装置として使用されることを特徴とするものである。
【００１７】
請求項１０に記載の発明は、請求項５乃至６のいずれかに記載の流量調節装置を用いたことを特徴とする血圧計である。
【発明の効果】
【００１８】
本発明に係る弁体またはこの弁体を備えた流量調節装置によれば、弁体の表面に形成された複数の凸部が同一形状であることから、弁体が軸方向に移動して、これらの凸部が流通口突端に圧接または離反して変形したとき、これら複数の凸部の変形量が同一となる。このため、これらの変形した凸部に隣接した凹部の容積変化量も同一となり、この凹部により形成される流路の流路面積の変化量も同一となる。このように、弁体の軸方向移動量に対して上記流路の流路面積の変化量を決定できるので、弁体の軸方向移動量を制御する
ことにより、流通口突端と弁体の表面との間の上記流路から流れ出る流体の微少流量を高精度に調節できる。
【発明を実施するための最良の形態】
【００１９】
以下、本発明を実施するための最良の形態を、図面に基づき説明する。
図１は、本発明に係る流量調節装置の一実施の形態である血圧計用排気装置を示す断面図である。図２は、図１の血圧計用排気装置において、サブハウジングを除いて示す斜視図である。
【００２０】
ここで、流量調節装置としての血圧計用排気装置２０が用いられる電動血圧計１０を図７に示す。この電動血圧計１０は、人体の腕や手首あるいは指などの部位に巻き付けられるカフ帯１１と、このカフ帯１１に圧縮空気を供給するポンプ１２と、カフ帯１１内の空気圧を検出する圧力計１３と、カフ帯１１内の空気を導出管１４を通して一定速度で大気中へ排出する血圧計用排気装置２０と、圧力計１３からの検出信号に基づきポンプ１２の作動を制御してカフ帯１１へ一定圧の空気を供給すると共に、血圧計用排気装置２０の作動を制御してカフ帯１１から空気を一定速度で排出させるマイクロコンピュータ１５と、を有して構成される。
【００２１】
上述のようにカフ帯１１内の空気を徐々に排気する血圧計用排気装置２０は、図１及び図６に示すように、メインハウジング２１の収納空間２３内にヨーク２４、永久磁石２５、駆動コイル２６及び弁体２７が収納され、このメインハウジング２１の開口をサブハウジング２２が覆って構成される。
【００２２】
メインハウジング２１は、樹脂材料にて有底の四角筒形状に形成される。また、サブハウジング２２も樹脂材料にて構成され、このサブハウジング２２には、流体としての空気が流れる流通口２８が形成される。この流通口２８におけるサブハウジング２２の内側に、流通口２８内の流体がサブハウジング２２内へ流れ出る流通口突端２９が設けられる。流通口２８におけるサブハウジング２２の外側部分は、前記導出管１４（図７）に接続される。
【００２３】
これらのメインハウジング２１とサブハウジング２２が接合された状態においても、この接合箇所に連通口３０（図６参照）が設けられる。流通口２８を流れて流通口突端２９から血圧計用排気装置２０内に流入した空気は、上記連通口３０を通って大気中に排出される。
【００２４】
上記ヨーク２４は、磁性材料にてＵ字形状に構成され、その一片３１の内側に永久磁石２５が固着され、他片３２に駆動装置としての駆動コイル２６が、その中心軸Ｏ２方向に移動可能に挿通される。永久磁石２５は、弁体２７の軸心Ｏ１（後述）に対し一方の片側に配置され、駆動コイル２６は、その中心軸Ｏ２が弁体２７の上記軸心Ｏ１に対し他方の片側に位置した状態で、永久磁石２５に相対して配置される。永久磁石２５に生ずる磁力線３３は、この永久磁石２５からヨーク２４の他片３２までの間を流れる。従って、駆動コイル２６は、永久磁石２５に相対する部分３４Ａのみが磁力線３３を横切ることになる。
【００２５】
上記駆動コイル２６は、略四角筒形状のボビン３５に導線３６が巻き回されて構成されたものであり、面積の広い部分が永久磁石２５に相対する部分３４Ａとなるように配置される。また、ボビン３５には、駆動コイル２６の中心軸Ｏ２方向の一端側に弁体２７が嵌合される。
【００２６】
この弁体２７は、その軸心Ｏ１がサブハウジング２２の流通口２８の軸心と一致して配置され、軸心Ｏ１に沿って移動することで、その表面３７が流通口突端２９に圧接または離反する。弁体２７は、その表面３７が流通口突端２９に圧接されることで流通口２８を閉塞し（閉動作）、表面３７が流通口突端２９から離反することで流通口２８を開放する（開動作）。この弁体２７の開閉動作により、流通口２８内を流れる空気の流量が調節される。
【００２７】
上記駆動コイル２６のボビン３５には、駆動コイル２６の中心軸Ｏ２方向の一端側に、弁体２７に隣接して一対のコイル側端子３８が設けられる。このコイル側端子３８のそれぞれに、ボビン３５に巻き回された導線３６の両端が接続される。これらのコイル側端子３８を通して駆動コイル２６の導線３６に流れた電流は、永久磁石２５に相対する部分３４Ａを流れるときに、永久磁石２５からの磁力線３３を横切ることになり、この永久磁石２５に相対する部分３４Ａにおいてサブハウジング２２へ向かう方向の電磁力が発生する。この電磁力により、弁体２７は、その軸心Ｏ１に沿って駆動されて閉動作し、表面３７が流通口突端２９に圧接して流通口２８を閉塞する。
【００２８】
弁体２７を開動作させるべく、駆動コイル２６に上記電磁力と逆方向の付勢力を付与する付勢部材としてのスプリング３９が、駆動コイル２６のボビン３５に一対取り付けられる。これらのスプリング３９は、ボビン３５において、駆動コイル２６の軸方向の任意の一位置、つまりボビン３５の一端側（図１における上端側）に固定されると共に、メインハウジング３１に固定される。また、ボビン３５の他端側（図１における下端側）には、ガイドバー４０が、駆動コイル２６の中心軸Ｏ２から外れた位置で、この中心軸Ｏ２に沿って一体に延在される。このガイドバー４０は、メインハウジング２１の底部に形成されたガイド穴４０Ａ内に摺動自在に挿通される。
【００２９】
従って、駆動コイル２６は、ボビン３５の一端側において、スプリング３９を介してメインハウジング２１に付勢支持され、ボビン３５の他端側において、ガイドバー４０及びガイド穴４０Ａを介してメインハウジング２１に摺動支持されて、中心軸Ｏ２に沿い、弁体２７を開動作させる方向に常時付勢される。
【００３０】
上記各スプリング３９は、図２に示すように、適度な弾性と強度を有する材料、例えばリン青銅、黄銅、非磁性のステンレスなどを用いて、略ヘアピン形状に成形される。スプリング３９の一端側に、コイル側位置決め穴４１及びコイル側固定部４２が互いに近傍位置に形成され、他端側に、ハウジング側位置決め穴４３及びハウジング側固定部４４が互いに近傍位置に形成される。一方、駆動コイル２６のボビン３５における一端側に一対のコイル側位置決め突起４５が、コイル側端子３８に接近して形成される。また、メインハウジング２１には、サブハウジング２２との接合面に、ハウジング側位置決め突起４６及びハウジング側端子４７が互いに接近して設けられる。
【００３１】
スプリング３９のコイル側位置決め穴４１を駆動コイル２６のコイル側位置決め突起４５に嵌合して位置決めした後、スプリング３９のコイル側固定部４２を駆動コイル２６のコイル側端子３８に半田付けなどにより固定することで、スプリング３９の一端側が駆動コイル２６に固定して取り付けられる。また、スプリング３９のハウジング側位置決め穴４３をメインハウジング２１のハウジング側位置決め突起４６に嵌合して位置決めした後、スプリング３９のハウジング側固定部４４をメインハウジング２１のハウジング側端子４７に半田付けなどにより固定することで、スプリング３９の他端側がメインハウジング２１に固定して取り付けられる。
【００３２】
上述のスプリング３９は、前述の如く、弁体２７を開動作すべく駆動コイル２６に付勢力を付与する付勢部材として機能する他、駆動コイル２６に電流を流すための導通線としても機能する。つまり、上記ハウジング側端子４７は、メインハウジング２１において、サブハウジング２２との接合面から底面まで貫通して延在され、このハウジング側端子４７へ供給された電流が、スプリング３９及びコイル側端子３８を経て駆動コイル２６の導線３６へ流れ、駆動コイル２６に電磁力を発生させる。
【００３３】
更に、一対のスプリング３９は、図３に示すように、製作時には、例えば２本の連結部４８により一体成形される。この連結部４８は、図４に示すように、スプリング３９のコイル側固定部４２を駆動コイル２６のコイル側端子３８に固定して、スプリング３９を駆動コイル２６に取り付けた後に切断可能とされる。これら一対のスプリング３９は、コイル側位置決め穴４１及びコイル側固定部４２を備えた一端側部分が連結部４８により連結される。従って、連結部４８により一体成形された一対のスプリング３９は、駆動コイル２６への取付け時に、それぞれの位置決めを同時に実施できることになる。
【００３４】
次に、血圧計用排気装置２０の作用を、図１及び図７を用いて説明する。
駆動コイル２６に所定値の電流を流すことによって、弁体２７を閉動作させる向きの電磁力を駆動コイル２６に発生させる。この状態では、電磁力がスプリング３９の付勢力に打ち勝って、弁体２７は流通口突端２９に圧接され、流通口２８を完全に閉塞（全閉）する。この状態で、ポンプ１２からカフ帯１１内へ空気が送給され、図８に示すように、カフ帯１１内は約２００ｍｍＨｇの圧力となる。
【００３５】
その後、電動血圧計１０のカフ帯１１を徐々に減圧する減圧過程に移行するには、血圧計用排気装置２０の駆動コイル２６へ供給される電流を徐々に減少させる。すると、この電流の減少に応じて駆動コイル２６に発生する電磁力が徐々に弱まるので、駆動コイル２６は、スプリング３９の付勢力によって弁体２７を開動作する方向に徐々に移動し、弁体２７が流通口突端２９から少しずつ離れて、流通口２８が微小且つ連続的に開放される。これにより、カフ帯１１内の空気が血圧計用排気装置２０の流通口２８を経て大気中へ微速、つまり微少流量で排気され、カフ帯１１内が図８に示すように徐々に減圧される。
【００３６】
この減圧過程でカフ帯１１内に発生する圧力脈動を圧力計１３が検出し、マイクロコンピュータ１５は、この圧力脈動の変化のプロフィールからオシロメトリック法により最高血圧及び最低血圧を算出する。
【００３７】
なお、上記構成の血圧計用排気装置２０のように、駆動コイル２６における永久磁石２５に相対する部分３４Ａのみが磁力線３３を横切って電磁力を発生し、また、駆動コイル２６のボビン３５が軸方向の一端側でのみスプリング３９により付勢力を受けるものであっても、駆動コイル２６の軸方向に沿う移動は、摺動抵抗が低くスムーズであり、弁体２７による空気の微速排気を良好に実現できる。
【００３８】
次に、血圧用排気装置２０の組立て手順を説明する。
まず、図３に示すように、一対のスプリング３９が連結部４８により一体化された状態で、スプリング３９のコイル側位置決め穴４１を駆動コイル２６のコイル側位置決め突起４５に嵌合して位置決めした後、スプリング３９のコイル側固定部４２を駆動コイル２６のコイル側端子３８に半田付けなどにより固定する。次に、連結部４８を折り曲げることでスプリング３９から切断し、図４に示すように、一対のスプリング３９を機械的、電気的に分離する。
【００３９】
次に、図５に示すように、メインハウジング２１の収納空間２３内に、永久磁石２５が固着されたヨーク２４を収納する。その後、スプリング３９が取り付けられた駆動コイル２６をメインハウジング２１の収納空間２３内に収納する。このとき、駆動コイル２６のボビン３５内にヨーク２４の他片３２を挿入させる。
【００４０】
その後、図２に示すように、スプリング３９のハウジング側位置決め穴４３をメインハウジング２１のハウジング側位置決め突起４６に嵌合して位置決めした後、スプリング３９のハウジング側固定部４４をメインハウジング２１のハウジング側端子４７に半田付けなどにより固定する。最後に、図１及び図６に示すように、サブハウジング２２をビス４９を用いてメインハウジング２１に取り付けて、血圧計用排気装置２０を完成する。
【００４１】
さて、この血圧計用排気装置２０の弁体２７は、図９〜図１１に示すように、サブハウジング２２における流通口２８の流通口突端２９に接触する表面３７に、その全領域に亘って、同一形状の凸部５０が複数形成されている。これらの凸部５０は四角錐形状であり、一方向（図１０の横方向）及びこれに直交する他方向（図１０の縦方向）に、それぞれピッチｐ、ｔの等間隔で規則正しく形成されている。
【００４２】
なお、これらのピッチｐとピッチｔは、本実施の形態では同一寸法であるが、異なった寸法であってもよい。また、図１０中のハッチング部分は、弁体２７の表面３７において、流通口突端２９が対向し接触する箇所Ｓを示す。
【００４３】
上記複数の凸部５０は、例えば、平坦形状の弁体２７の表面に、機械加工により、互いに直交する方向に複数本のＶ溝を切削することによって形成することができる。また、これら複数の凸部５０は、弁体２７の成形時に型によって一体に成形することもできる。また、上記Ｖ溝の溝角度θ（図１１）は例えばθ＝６０度である。また、上記凸部５０は、図１１に示すように、流通口２８の軸心、つまり流通口突端２９の軸心Ｏ３を通る縦断面における片側（寸法ｋ）に２個以上が接触するような分布をもって、弁体２７の表面３７に形成されている。上記軸心Ｏ３は、前述の如く弁体２７の軸心Ｏ１と一致している。
【００４４】
弁体２７の表面３７では、図９に示すように、複数の凸部５０に隣接して連通状態の凹部５１が形成される。この凹部５１は、弁体２７の凸部５０が流通口突端２９に接触したときに、この流通口突端２９との間で流路を形成する役目を果たす。流通口２８内の空気は、弁体２７の凸部５０が流通口突端２９に接触した状態では、上記流路を通って血圧計用排気装置２０内に流入し、そのサブハウジング２２の連通口３０（図６参照）から大気中へ排出される。
【００４５】
弁体２７が軸方向に移動して、その複数の凸部５０が流通口突端２９に圧接または離反して変形すると、この変形した凸部５０に隣接する凹部５１もその容積が変化し、この凹部５１により形成される流路の流量面積が変化する。従って、弁体２７を、凸部５０が流通口突端２９に接触した位置から凸部５０の高さｈ（図１１；例えばｈ＝０．０８ｍｍ）の範囲内で軸方向に移動させると、凸部５０の変形により上記流量面積が微小に変化し、この流路を通りサブハウジング２２の電通口３０から大気中へ排出される空気の流量を微少調節することが可能となり、カフ帯１１内の減圧が微調整される。
【００４６】
このとき、弁体２７の複数の凸部５０が同一形状で且つ規則正しく形成されているので、弁体２７が軸方向に移動してこれらの凸部５０が流通口突端２９に圧接または離反して変形したとき、この変形した複数の凸部５０の変形量は、流通口突端に対向し接触する箇所Ｓ（図１０）において同一となる。このため、これらの変形した凸部５０に隣接する凹部５１の容積変化量も、流通口突端２９に対向し接触する箇所Ｓにおいて同一となり、この凹部５１と流通口突端２９により形成される流路の流量面積の変化量も、流通口突端２９に対向し接触する箇所Ｓにおいて同一となる。このように、弁体２７の軸方向移動量に対して、上記流路の流路面積の変化量が流通口突端２９に対向し接触する箇所Ｓにおいて同一となるので、弁体２７の軸方向移動量を制御することによって、流通口突端２９と凹部５１により形成される上記流路を流れる空気の微少流量を高精度に調節でき、高精度な血圧計を製造することができる。
【００４７】
以上、本発明を上記実施の形態に基づいて説明したが、本発明はこれに限定されるものではない。
例えば、上記実施の形態では、弁体２７の表面３７の全領域に凸部５０が形成されたものを述べたが、この凸部５０は、弁体２７の表面３７において少なくとも流通口突端２９が対向して接触する箇所Ｓに形成されていればよい。
【００４８】
また、上記弁体２７の凸部５０は、図１２に示すように、流通口突端２９の軸心Ｏ３を通る縦断面における片側（寸法ｋ）に１個以上が接触するような分布で弁体２７の表面３７に形成されてもよい。
【００４９】
更に、弁体２７における同一形状の複数の凸部５０は、本実施の形態では、弁体２７の表面３７に規則正しく等間隔に形成されるものを述べたが、弁体２７の表面３７にランダム（不規則）に形成されてもよい。
【００５０】
また、弁体２７の凸部５０は、三角錐体や円錐体であってもよく、図１３に示すように、半球体（図１３（Ａ））、円柱体または角柱体（図１３（Ｂ））であってもよい。
【００５１】
更に、この凸部５０は、内側に湾曲した曲面を有する錐体（図１３（Ｃ））、円錐台または角錐台（図１３（Ｄ））、または先端に向かって横断面積が徐々に増大する立体形状（図１３（Ｅ））であってもよい。
【００５２】
また、上記実施の形態では、各凸部５０が、弁体２７の表面３７上の縦横方向に独立した形状（独立した突起状）である場合について示したが、図１４に例示する凸部５０Ｂのように、弁体２７の表面３７上の一方向に同じ断面で連続した凸条として形成してもよい。この場合も、凸条として形成した複数条の凸部５０Ｂは、互いに平行に一定のピッチで配列されている。なお、凸部５０Ｂの断面形状は、三角形、半円形、矩形等、任意である。
【００５３】
また、上記実施の形態では、流量調節装置を血圧計用排気装置２０として使用する場合を述べたが、流量調節装置を血圧計用排気装置２０以外の一般的用途において使用してもよく、この場合には、スプリング３９による付勢力の作用で弁体３７を閉動作させる方向に駆動コイル２８を付勢し、また、この駆動コイル２８に発生する電磁力の作用で、弁体３７を開動作するように構成してもよい。
【図面の簡単な説明】
【００５４】
【図１】本発明に係る流量調節装置の一実施の形態である血圧計用排気装置を示す断面図である。
【図２】図１の血圧計用排気装置において、サブハウジングを除いて示す斜視図である。
【図３】図１のスプリング及び駆動コイルにおいて、一対のスプリングを駆動コイルに固定した直後の状態を示す斜視図である。
【図４】図１のスプリング及び駆動コイルにおいて、一対のスプリングから連結部を切断した状態を示す斜視図である。
【図５】一対のスプリングが取り付けられた駆動コイルをメインハウジング内に収納する状態を示す斜視図である。
【図６】図１の血圧計用排気装置を示す分解斜視図である。
【図７】図１の血圧計用排気装置を用いた電動血圧計を示す構成図である。
【図８】血圧測定時におけるカフ帯内の圧力変化を示すグラフである。
【図９】図１における弁体を示す斜視図である。
【図１０】図９の弁体を示す平面図である。
【図１１】図１の弁体が流通口突端に接触した状態を示す断面図である。
【図１２】流通口突端に接触した弁体の他の例を示す断面図である。
【図１３】弁体における凸部の変形例を示す側面図である。
【図１４】弁体における凸部の変形例を示す側面図である。
【符号の説明】
【００５５】
２０  血圧計用排気装置（流量調節装置）
２１  メインハウジング
２２  サブハウジング
２６  駆動コイル
２７  弁体
２８  流通口
２９  流通口突端
３７  表面
５０，５０Ｂ  凸部
５１  凹部
Ｏ１  弁体の軸心
【図１】
2005155898.tif 000003
【図２】
2005155898.tif 000004
【図３】
2005155898.tif 000005
【図４】
2005155898.tif 000006
【図５】
2005155898.tif 000007
【図６】
2005155898.tif 000008
【図７】
2005155898.tif 000009
【図８】
2005155898.tif 000010
【図９】
2005155898.tif 000011
【図１０】
2005155898.tif 000012
【図１１】
2005155898.tif 000013
【図１２】
2005155898.tif 000014
【図１３】
2005155898.tif 000015
【図１４】
2005155898.tif 000016